【手続補正書】
【提出日】平成30年2月21日(2018.2.21)
【手続補正１】
【補正対象書類名】特許請求の範囲
【補正対象項目名】全文
【補正方法】変更
【補正の内容】
【特許請求の範囲】
【請求項１】
複数の投影装置により投影される複数の投影画像の一部を投影面上で重畳させてつなぎ合わせることで１つの画像を前記投影面上に表示する投影システムを構成する投影装置であって、
光源と、
前記光源からの光を画素毎に変調するパネルと、
前記パネルにより変調された光を投影する投影手段と、
前記投影システムを構成する投影装置のうち自機による投影画像と一部が重畳する投影画像を投影する他の投影装置から取得された、当該他の投影装置のパネルの画素のうち当該他の投影装置による投影画像に対応する画素以外の画素により変調された光が投影される領域であるブランク領域の情報に基づき、自機による投影画像のうち前記他の投影装置による投影画像と部分的に重畳する重畳領域以外の領域である非重畳領域の画像に対し第１の画像処理を行う処理手段と、
を有する投影装置。
【請求項２】
前記他の投影装置のブランク領域の情報は、前記他の投影装置のブランク領域の形状の情報を含み、
前記処理手段は、前記第１の画像処理として、前記非重畳領域のうち前記他の投影装置のブランク領域と重畳する第１領域の画像に対し第１のオフセットを与えるとともに、前記非重畳領域のうち前記他の投影装置のブランク領域と重畳しない第２領域の画像に対し第２のオフセットを与える画像処理を行う請求項１に記載の投影装置。
【請求項３】
前記他の投影装置のブランク領域の情報は、前記他の投影装置のブランク領域の照度の情報を含み、
前記処理手段は、前記第１の画像処理において、前記他の投影装置のブランク領域の照度に基づき前記第１のオフセット及び前記第２のオフセットを設定する請求項２に記載の投影装置。
【請求項４】
前記処理手段は、前記第１の画像処理において、前記他の投影装置のブランク領域の照度に相当する分だけ前記第２領域の画像が明るくなるように、前記第２のオフセットを前記第１のオフセットより大きくする請求項３に記載の投影装置。
【請求項５】
前記他の投影装置のブランク領域の照度は、前記他の投影装置により黒画像を投影した場合の照度である請求項３又は４に記載の投影装置。
【請求項６】
前記処理手段は、自機による投影画像のうち前記重畳領域の画像に対し第２の画像処理を行う請求項１〜５のいずれか１項に記載の投影装置。
【請求項７】
前記処理手段は、前記第２の画像処理として、前記重畳領域の画像に対し、均一に輝度を下げる画像処理又は隣接する投影画像に対する位置に応じて徐々に輝度を下げる画像処理を行う請求項６に記載の投影装置。
【請求項８】
複数の投影装置により投影される複数の投影画像の一部を投影面上で重畳させてつなぎ合わせることで１つの画像を前記投影面上に表示する投影システムを構成する投影装置であって、
光源と、
前記光源からの光を画素毎に変調するパネルと、
前記パネルにより変調された光を投影する投影手段と、
前記パネルの画素のうち自機による投影画像に対応する画素以外の画素により変調された光が投影される領域であるブランク領域の情報を生成する生成手段と、
前記生成手段により生成した自機のブランク領域の情報を外部へ送信する送信手段と、を有する投影装置。
【請求項９】
前記生成手段は、前記パネルの画素のうち画像データに基づく制御が行われる有効画素以外の画素に対応する領域を、前記ブランク領域とする請求項８に記載の投影装置。
【請求項１０】
前記パネルは、赤色成分用のパネル、緑色成分用のパネル、及び青色成分用のパネルからなり、
前記各色成分用のパネルの取り付け位置のずれに基づき設定された前記各色成分用のパネルの有効画素の領域の位置の情報を記憶する記憶手段を更に有し、
前記生成手段は、前記各色成分用のパネルの有効画素の領域の位置の情報に基づき、前記ブランク領域の情報を生成する請求項９に記載の投影装置。
【請求項１１】
前記生成手段は、緑色成分用のパネルの有効画素の領域の位置の情報に基づき、前記ブランク領域の情報を生成する請求項１０に記載の投影装置。
【請求項１２】
前記生成手段は、前記パネルの画素のうち画像データに基づく制御が行われる有効画素に対応する領域における、投影画像の上辺、下辺、右辺、及び左辺の少なくともいずれかに付加される付加画像に対応する領域を、前記ブランク領域とする請求項８に記載の投影装置。
【請求項１３】
前記付加画像は黒画像である請求項１２に記載の投影装置。
【請求項１４】
前記生成手段は、入力される画像データに基づく画像のアスペクト比と、前記パネルの有効画素に対応する領域のアスペクト比と、に基づき前記付加画像に対応する領域を求める請求項１２又は１３に記載の投影装置。
【請求項１５】
前記投影システムにおける前記複数の投影装置のレイアウト情報を取得する取得手段を更に有し、
前記送信手段は、前記レイアウト情報に基づき自機のブランク領域の情報を送信する対象の投影装置を特定する請求項８〜１４のいずれか１項に記載の投影装置。
【請求項１６】
自機の前記パネルの画素のうち自機による投影画像に対応する画素以外の画素により変調された光が投影される領域である自機のブランク領域の情報を生成する生成手段と、
前記生成手段により生成した自機の前記ブランク領域の情報を外部へ送信する送信手段と、
を有する請求項１〜７のいずれか１項に記載の投影装置。
【請求項１７】
請求項１６に記載の投影装置を複数用いて構成される投影システム。
【請求項１８】
第１の投影装置により投影される第１の投影画像の一部と第２の投影装置により投影される第２の投影画像の一部とを投影面上で重畳させてつなぎ合わせることで１つの画像を前記投影面上に表示する投影システムの制御方法であって、
前記第１及び第２の投影装置のそれぞれは、
光源と、
前記光源からの光を画素毎に変調するパネルと、
前記パネルにより変調された光を投影する投影手段と、
を有し、
前記投影システムの制御方法は、
前記第２の投影装置から、前記第２の投影装置のパネルの画素のうち前記第２の投影画像に対応する画素以外の画素により変調された光が投影される領域であるブランク領域の情報を取得する取得工程と、
前記取得工程により取得した前記第２の投影装置のブランク領域の情報に基づき、前記第１の投影画像のうち前記第２の投影画像と部分的に重畳する重畳領域以外の領域である非重畳領域の画像に対し第１の画像処理を行うよう、前記第１の投影装置に指示する指示工程と、
を有する投影システムの制御方法。
【請求項１９】
前記第２の投影画像の一部と第３の投影装置により投影される第３の投影画像の一部とを更に前記投影面上で重畳させてつなぎあわせることで前記１つの画像を前記投影面上に表示する請求項１８に記載の制御方法。
【請求項２０】
請求項１８又は１９に記載の制御方法の各工程をコンピュータに実行させるためのプログラム。
【手続補正２】
【補正対象書類名】明細書
【補正対象項目名】発明の名称
【補正方法】変更
【補正の内容】
【発明の名称】投影装置、投影システム、投影システムの制御方法、及びプログラム
【手続補正３】
【補正対象書類名】明細書
【補正対象項目名】０００１
【補正方法】変更
【補正の内容】
【０００１】
本発明は、投影装置、投影システム、投影システムの制御方法、及びプログラムに関する。
【手続補正４】
【補正対象書類名】明細書
【補正対象項目名】０００６
【補正方法】変更
【補正の内容】
【０００６】
本発明は、複数の投影装置により投影される複数の投影画像の一部を投影面上で重畳させてつなぎ合わせることで１つの画像を前記投影面上に表示する投影システムを構成する投影装置であって、
光源と、
前記光源からの光を画素毎に変調するパネルと、
前記パネルにより変調された光を投影する投影手段と、
前記投影システムを構成する投影装置のうち自機による投影画像と重畳する投影画像を投影する他の投影装置から取得された、当該他の投影装置のパネルの画素のうち当該他の投影装置による投影画像に対応する画素以外の画素により変調された光が投影される領域であるブランク領域の情報に基づき、自機による投影画像のうち前記他の投影装置による投影画像と部分的に重畳する重畳領域以外の領域である非重畳領域の画像に対し第１の画像処理を行う処理手段と、
を有する投影装置である。
【手続補正５】
【補正対象書類名】明細書
【補正対象項目名】０００７
【補正方法】変更
【補正の内容】
【０００７】
本発明は、複数の投影装置により投影される複数の投影画像の一部を投影面上で重畳させてつなぎ合わせることで１つの画像を前記投影面上に表示する投影システムを構成する投影装置であって、
光源と、
前記光源からの光を画素毎に変調するパネルと、
前記パネルにより変調された光を投影する投影手段と、
前記パネルの画素のうち自機による投影画像に対応する画素以外の画素により変調された光が投影される領域であるブランク領域の情報を生成する生成手段と、
前記生成手段により生成した自機のブランク領域の情報を外部へ送信する送信手段と、を有する投影装置である。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本発明は、第１の投影装置により投影される第１の投影画像の一部と第２の投影装置により投影される第２の投影画像の一部とを投影面上で重畳させてつなぎ合わせることで１つの画像を前記投影面上に表示する投影システムの制御方法であって、
前記第１及び第２の投影装置のそれぞれは、
光源と、
前記光源からの光を画素毎に変調するパネルと、
前記パネルにより変調された光を投影する投影手段と、
を有し、
前記投影システムの制御方法は、
前記第２の投影装置から、前記第２の投影装置のパネルの画素のうち前記第２の投影画像に対応する画素以外の画素により変調された光が投影される領域であるブランク領域の情報を取得する取得工程と、
前記取得工程により取得した前記第２の投影装置のブランク領域の情報に基づき、前記第１の投影画像のうち前記第２の投影画像と部分的に重畳する重畳領域以外の領域である非重畳領域の画像に対し第１の画像処理を行うよう、前記第１の投影装置に指示する指示工程と、
を有する投影システムの制御方法である。
【手続補正８】
【補正対象書類名】明細書
【補正対象項目名】００１０
【補正方法】削除
【補正の内容】